(57)【要約】【課題】計測作業時における消費電力の低減および利便性の向上を同時に実現し得るクランプ式電流計を提供する。【解決手段】クランプした電線２００に流れる電流を検出して検出信号を出力するクランプセンサ２と、クランプセンサ２によって出力された検出信号に基づいて電流の値を算出すると共に算出した電流の値が所定値以下となる状態が所定時間継続したときに電源部を制御して表示部４２および操作部４４等への電源供給を停止させる電源供給停止処理を実行する制御部とを備えている。【選択図】図１
2007309731.tif 000002
【特許請求の範囲】
【請求項１】
クランプした計測対象体に流れる電流を検出して検出信号を出力するクランプセンサと、当該クランプセンサによって出力された前記検出信号に基づいて前記電流の値を算出すると共に当該算出した電流の値が所定値以下となる状態が所定時間継続したときに電源部を制御して予め決められた回路への電源供給を停止させる電源供給停止処理を実行する制御部とを備えているクランプ式電流計。
【請求項２】
前記所定値を設定するための第１操作部を備えている請求項１記載のクランプ式電流計。
【請求項３】
前記所定時間を設定するための第２操作部を備えている請求項１または２記載のクランプ式電流計。
【請求項４】
前記クランプセンサの開状態を検出する検出部を備え、
前記制御部は、前記電源部による前記予め決められた回路への電源供給が停止されている状態において前記検出部によって前記クランプセンサの開状態が検出されたときに、当該電源部を制御して前記予め決められた回路への電源供給を開始させる請求項１から３のいずれかに記載のクランプ式電流計。
【発明の詳細な説明】
【技術分野】
【０００１】
本発明は、クランプした計測対象体に流れている電流を検出して検出信号を出力するクランプセンサを備えたクランプ式電流計に関するものである。
【背景技術】
【０００２】
この種のクランプ式電流計として、特開２００４−３６１２４８号公報に開示されたクランプ式漏れ電流計が知られている。このクランプ式漏れ電流計は、計測対象体としての被測定電線をクランプするクランプ部を備えて、そのクランプ部で被測定電線をクランプすることによって漏れ電流を検出可能に構成されている。この場合、この種のクランプ式電流計では、一般的に、電源供給の開始および停止用の電源スイッチを備える構成が採用されている。このため、その電源スイッチをオン／オフ操作することにより、電流計測の開始時には電源供給を開始させ、電流計測の終了時には電源供給を停止させることが可能となっている。
【特許文献１】特開２００４−３６１２４８号公報（第７−１３頁、第１７−１８図）
【発明の開示】
【発明が解決しようとする課題】
【０００３】
ところが、上記のクランプ式電流計には、以下の問題点がある。すなわち、このクランプ式電流計では、電源スイッチがオフ操作されたときに電源供給を停止させている。このため、電源供給が維持されているままの状態でクランプ式電流計を放置したときには、電源が供給され続ける結果、電力が浪費されるという問題点が存在する。また、電源供給を停止させるときには電源スイッチを必ず操作しなければならず、その操作が煩雑なため、計測作業時における利便性を向上させる上でこの点の改善が望まれている。この場合、例えば、上記の電源スイッチを初めとする各種の操作スイッチを最後に操作してから一定の時間が経過したときに電源供給を自動的に停止する構成を採用することも考えられる。この構成では、電源スイッチのオフ操作をし忘れたときであっても、電力が浪費される事態を確実に回避することが可能である。しかしながら、操作スイッチを最後に操作してから一定の時間が経過したときには、電流計測を行っているか否かに拘わらず電源供給が強制的に停止される。したがって、計測作業中に電源供給が突然停止されるという事態を回避するために一定の時間を長い時間に予め設定しなければならないため、電力が浪費されるという問題点が依然として存在する。
【０００４】
本発明は、かかる問題点に鑑みてなされたものであり、計測作業時における消費電力の低減および利便性の向上を同時に実現し得るクランプ式電流計を提供することを主目的とする。
【課題を解決するための手段】
【０００５】
上記目的を達成すべく請求項１記載のクランプ式電流計は、クランプした計測対象体に流れる電流を検出して検出信号を出力するクランプセンサと、当該クランプセンサによって出力された前記検出信号に基づいて前記電流の値を算出すると共に当該算出した電流の値が所定値以下となる状態が所定時間継続したときに電源部を制御して予め決められた回路への電源供給を停止させる電源供給停止処理を実行する制御部とを備えている。
【０００６】
また、請求項２記載のクランプ式電流計は、請求項１記載のクランプ式電流計において、前記所定値を設定するための第１操作部を備えている。
【０００７】
また、請求項３記載のクランプ式電流計は、請求項１または２記載のクランプ式電流計において、前記所定時間を設定するための第２操作部を備えている。
【０００８】
また、請求項４記載のクランプ式電流計は、請求項１から３のいずれかに記載のクランプ式電流計において、前記クランプセンサの開状態を検出する検出部を備え、前記制御部は、前記電源部による前記予め決められた回路への電源供給が停止されている状態において前記検出部によって前記クランプセンサの開状態が検出されたときに、当該電源部を制御して前記予め決められた回路への電源供給を開始させる。
【発明の効果】
【０００９】
請求項１記載のクランプ式電流計によれば、制御部が、算出した電流の値が所定値（例えばゼロアンペア）以下となる状態が所定時間継続したときに、予め決められた回路への電源供給を停止させることにより、計測作業が行われずに所定時間が経過したときに電源供給が自動的に停止されるため、電源供給を停止させる操作を不要とすることができる結果、計測作業時における利便性を向上させることができる。また、制御部が、算出した電流の値が所定値を超えるときには電源供給を継続させるため、計測作業中において電源供給が突然停止されるという事態を確実に回避することができる。このため、操作スイッチを最後に操作してから一定の時間を経過したときに電源供給を強制的に停止させる構成と比較して、電源供給を停止させるまでの所定時間を短く設定することができる結果、電流計測を行っていないにも拘わらず電源供給を継続して電力が浪費されるという事態を回避することができる。したがって、このクランプ式電流計によれば、計測作業時における利便性の向上および消費電力の低減を同時に実現することができる。
【００１０】
また、請求項２記載のクランプ式電流計では、制御部が、算出した電流の値が第１操作部の操作によって設定された所定値以下となる状態が所定時間継続したときに電源供給停止処理を実行する。したがって、このクランプ式電流計によれば、第１操作部を操作することにより、その所定値の大きさを任意に設定することができる。
【００１１】
また、請求項３記載のクランプ式電流計では、制御部が、算出した電流の値が所定値以下となる状態が第２操作部の操作によって設定された所定時間継続したときに電源供給停止処理を実行する。したがって、このクランプ式電流計によれば、第２操作部を操作することで、その所定時間の時間長を任意に設定することができる。
【００１２】
また、請求項４記載のクランプ式電流計によれば、制御部が、電源供給が停止されている状態において検出部によってクランプセンサの開状態が検出されたときに、予め決められた回路への電源供給を開始させることにより、クランプセンサを開状態にするだけで電源供給を開始させることができるため、電源供給を開始させるためのスイッチ操作を不要とすることができる結果、計測作業時の利便性を確実に向上させることができる。
【発明を実施するための最良の形態】
【００１３】
以下、本発明に係るクランプ式電流計の最良の形態について、添付図面を参照して説明する。
【００１４】
最初に、クランプ式電流計１の構成について、図面を参照して説明する。図１に示すクランプ式電流計１は、クランプセンサ２および本体部４を備えて、例えば、クランプした電線２００（本発明における計測対象体）に流れている電流Ｉを非接触で計測可能に構成されている。クランプセンサ２は、図１，３に示すように、第１センサ３ａおよび第２センサ３ｂ（以下、両者を区別しないときには「センサ３」ともいう）を備えて、両センサ３における各先端部３１同士が接離可能に構成されている。
【００１５】
第１センサ３ａは、図１，３に示すように、平面視が略円弧状に形成されたケース１１ａ、およびケース１１ａに収容された電流検出用のコイル１２を備えて構成されて、本体部４に回動可能に取り付けられると共に、図外のばねによって図３に示す矢印Ａの方向に付勢されている。ケース１１ａは、コイル１２を収容する平面視が略弧状のコイル収容部２１、およびクランプ式電流計１の使用時に第１センサ３ａを回動させるためのレバー２２を構成する。
【００１６】
第２センサ３ｂは、図１，３に示すように、平面視が略円弧状に形成されたケース１１ｂ、およびケース１１ｂに収容された電流検出用のコイル１２を備えて構成されて、本体部４に回動可能に取り付けられると共に、図外のばねによって同図に示す矢印Ｂの方向に付勢されている。ケース１１ｂは、上記したケース１１ａと同様にして、コイル収容部２１およびレバー２２を構成する。
【００１７】
この場合、第１センサ３ａおよび第２センサ３ｂは、図１に示すように、レバー２２によって付勢されていない状態において各々の先端部３１同士が互いに接近して環状体を構成する。コイル１２は、この状態において、クランプセンサ２によってクランプされた電線２００に流れている電流を検出して検出信号Ｓｄを出力する。
【００１８】
本体部４は、図２に示すように、Ａ／Ｄ変換部４１、表示部４２、記憶部４３、操作部４４、検出部４５、電源部４６、タイマ４７、制御部４８、およびこれらの各構成要素が収容または配設されるケース４９（図１参照）を備えて構成されている。Ａ／Ｄ変換部４１は、クランプセンサ２のコイル１２から出力される検出信号Ｓｄをアナログ−デジタル変換して電流データＤｉを出力する。表示部４２は、例えば液晶パネルで構成されて、ケース４９の正面パネルに配設されている。また、表示部４２は、制御部４８の制御に従って各種の測定値等を表示する。
【００１９】
記憶部４３は、本発明における所定値に相当する基準電流値Ｉｓを示す基準電流データＤｓ、および本発明における所定時間に相当する待機時間ｔｗを示す待機時間データＤｔを記憶する。ここで、基準電流値Ｉｓは、電流Ｉが流れていないと判別するときの判別基準となる電流値であって任意の値に設定される。また、待機時間ｔｗは、電流Ｉが流れていないと判別したときから電源供給を停止させるまでの間に待機する時間であって任意の時間長に設定される。操作部４４は、本発明における第１操作部および第２操作部に相当し、基準電流値Ｉｓおよび待機時間ｔｗを任意の値に設定するための数値設定スイッチを備えて構成されて、図１に示すように、ケース４９の正面パネルに配設されている。また、操作部４４は、スイッチ操作に応じた操作信号を出力する。検出部４５は、例えばメカニカルスイッチで構成されて、図３に示すように、レバー２２が押し込まれたときにスイッチ部が押し込まれることにより、第１センサ３ａの回動、つまりクランプセンサ２の開状態を検出して検出信号Ｓｓを出力する。
【００２０】
電源部４６は、電池を備えて構成されて、制御部４８の制御に従ってクランプ式電流計１の各構成要素に電源を供給する。具体的には、電源部４６は、電源の供給を停止する電源供給停止時には、クランプセンサ２の開状態を検出するために最低限必要となる回路（検出部４５および制御部４８）に電源を供給して、Ａ／Ｄ変換部４１、表示部４２、操作部４４およびタイマ４７の他の各構成要素（本発明における予め決められた回路）に対しては電源の供給を停止する。これに対して、電源を供給する電源供給時には、Ａ／Ｄ変換部４１、表示部４２、操作部４４およびタイマ４７の各構成要素を含むクランプ式電流計１のすべての回路に対して電源を供給する。タイマ４７は、制御部４８の制御に従い、待機時間ｔｗを計時すると共に待機時間ｔｗが経過したときにはタイマ信号を制御部４８に出力する。
【００２１】
制御部４８は、Ａ／Ｄ変換部４１から出力される電流データＤｉに基づいて電流値（本発明における電流の値）Ｉｍを算出すると共に、算出した電流値Ｉｍを表示部４２に表示させる。また、制御部４８は、操作部４４から出力される操作信号および検出部４５から出力される検出信号Ｓｓに従って本体部４を構成する各部を制御する。この場合、制御部４８は、検出部４５から検出信号Ｓｓが出力されたときに、図４に示す電源供給制御処理６０を実行する。また、制御部４８は、操作部４４のスイッチ操作によって基準電流値Ｉｓおよび待機時間ｔｗが設定されたときに、その各設定値に対応する基準電流データＤｓおよび待機時間データＤｔを記憶部４３に記憶させる。
【００２２】
次に、クランプ式電流計１を用いて電流を測定する方法について、図面を参照して説明する。
【００２３】
例えば、図１に示す電線２００に流れている電流Ｉを計測する際には、図３に示すように、第１センサ３ａおよび第２センサ３ｂの両レバー２２，２２を本体部４側（同図に示す矢印Ｃ，Ｄの向き）に押し込むことにより、両センサ３を同図に示す矢印Ｅ，Ｆの向きに回動させて、両センサ３の先端部３１，３１同士を互いに離反させる。この際に、検出部４５が、レバー２２の回動によって、クランプセンサ２の開状態を検出して検出信号Ｓｓを制御部４８に出力する。これに応じて、制御部４８が、図４に示す電源供給制御処理６０を実行する。この電源供給制御処理６０では、制御部４８は、まず、電源部４６を制御して、クランプ式電流計１における制御部４８および検出部４５以外のすべての回路（Ａ／Ｄ変換部４１、表示部４２、操作部４４、およびタイマ４７）に対する電源供給を開始させる（ステップ６１）。この場合、このクランプ式電流計１では、電源スイッチを操作したときに電源供給を開始する従来の構成とは異なり、レバー２２を操作してクランプセンサ２を開状態にするだけで電源供給が開始される。
【００２４】
続いて、図１に示すように、電線２００を両センサ３によって取り囲んだ状態でレバー２２，２２の押し込みを解除する。この際に、両センサ３が図外のばねの付勢力によって回動させられて、同図に示すように、各々の先端部３１，３１同士が互いに連結して環状体を構成する。これにより、クランプセンサ２が電線２００をクランプする。
【００２５】
この際に、操作部４４の数値設定スイッチ等を操作して、基準電流値Ｉｓを例えば「０アンペア」に設定すると共に、電源部４６の構成（例えば電池の容量）に応じて待機時間ｔｗを例えば「１５分」に設定する。これに応じて、制御部４８は、設定された基準電流値Ｉｓに対応する基準電流データＤｓ、および設定された待機時間ｔｗに対応する待機時間データＤｔを生成して記憶部４３に記憶させる。
【００２６】
一方、両センサ３のコイル１２は、電線２００に流れている電流Ｉを検出して検出信号Ｓｄを出力する。次いで、Ａ／Ｄ変換部４１は、検出信号Ｓｄをアナログ−デジタル変換して電流データＤｉを制御部４８に出力する。この際に、制御部４８は、Ａ／Ｄ変換部４１によって出力された電流データＤｉに基づいて電流値Ｉｍを算出する（ステップ６２）と共に、算出した電流値Ｉｍを表示部４２に表示させる。続いて、制御部４８は、記憶部４３から基準電流データＤｓを読み込むと共に、算出した電流値Ｉｍが基準電流データＤｓの示す基準電流値Ｉｓ（この場合「０アンペア」）以下か否かを判別する（ステップ６３）。この際に、例えば電線２００に電流Ｉが流れているときには電流値Ｉｍが基準電流値Ｉｓを超えるため、制御部４８は、電流値Ｉｍが基準電流値Ｉｓ以下ではないと判別して、ステップ６２における電流値Ｉｍの算出処理と、算出した電流値Ｉｍの表示処理とを繰り返し実行する。
【００２７】
次いで、例えば電線２００に電流Ｉが流れなくなったときには電流値Ｉｍと基準電流値Ｉｓとが同じ値（つまりゼロアンペア）となるため、制御部４８は、ステップ６３の判別処理において電流値Ｉｍが基準電流値Ｉｓ以下であると判別する。この際に、制御部４８は、タイマ４７を制御して、電流値Ｉｍが基準電流値Ｉｓ以下となっている状態の時間ｔのカウントを開始させる（ステップ６４）。続いて、制御部４８は、記憶部４３から待機時間データＤｔを読み込むと共に、ステップ６４においてカウントを開始させた時間ｔが待機時間データＤｔの示す待機時間ｔｗに達したか否かを判別する（ステップ６５）。この際に、待機時間ｔｗに達していないときには、制御部４８は、ステップ６２における算出処理と同様にして電流値Ｉｍを算出する（ステップ６６）と共に、算出した電流値Ｉｍを表示させる。続いて、制御部４８は、ステップ６６において算出した電流値Ｉｍが基準電流値Ｉｓ以下か否かを判別する（ステップ６７）。この際に、電線２００に電流Ｉが流れていないときには電流値Ｉｍと基準電流値Ｉｓとが同じ値（つまりゼロアンペア）となるため、制御部４８は、ステップ６７の判別処理において電流値Ｉｍが基準電流値Ｉｓ以下であると判別して、ステップ６５，６６の処理を繰り返し実行する。
【００２８】
一方、待機時間ｔｗに達したときには、タイマ４７がタイマ信号を制御部４８に出力する。これに応じて、制御部４８は、ステップ６５の判別処理において、時間ｔが待機時間ｔｗに達したと判別する。この場合、制御部４８は、電源部４６を制御して、上記したように、Ａ／Ｄ変換部４１、表示部４２、操作部４４、およびタイマ４７に対する電源供給を停止させる電源供給停止処理を実行して（ステップ６８）、この電源供給制御処理６０を終了する。したがって、このクランプ式電流計１では、制御部４８が待機時間ｔｗに達したときに電源供給を自動的に停止させるため、電源供給を停止させる操作が不要となる。
【００２９】
一方、ステップ６５〜６７の処理の実行時において電流Ｉが再度流れ始めたときには、制御部４８は、ステップ６７の判別処理において電流値Ｉｍが基準電流値Ｉｓ以下ではないと判別して、時間ｔをリセットする（ステップ６９）と共に、ステップ６２以降の処理を実行する。この場合、制御部４８は、電流Ｉが流れているときにはステップ６８の電源供給停止処理を実行することなく電流値Ｉｍの算出処理および電流値Ｉｍの表示処理を実行する。したがって、電流Ｉの計測作業中において電源供給が突然停止される事態が確実に回避される。
【００３０】
このように、このクランプ式電流計１によれば、制御部４８が、電流値Ｉｍが基準電流値Ｉｓ以下となる状態が待機時間ｔｗに亘って継続したときに、予め決められた回路（Ａ／Ｄ変換部４１、表示部４２、操作部４４、およびタイマ４７）への電源供給を停止させることにより、計測作業が行われずに待機時間ｔｗが経過したときに電源供給が自動的に停止されるため、電源供給を停止させる操作を不要とすることができる結果、計測作業時における利便性を向上させることができる。また、制御部４８が、電流値Ｉｍが基準電流値Ｉｓを超えるときには電源供給を継続させるため、計測作業中において電源供給が突然停止されるという事態を確実に回避することができる。このため、操作スイッチを最後に操作してから一定の時間が経過したときに電源供給を強制的に停止させる構成と比較して、待機時間ｔｗの長さを短く設定することができる結果、電流計測を行っていないにも拘わらず電源供給を継続して電力が浪費されるという事態を回避することができる。したがって、このクランプ式電流計１によれば、計測作業時における利便性の向上および消費電力の低減を同時に実現することができる。
【００３１】
また、このクランプ式電流計１では、制御部４８が、電流値Ｉｍが操作部４４の操作によって設定された基準電流値Ｉｓ以下となる状態が待機時間ｔｗに亘って継続したときに電源供給停止処理を実行する。したがって、このクランプ式電流計１によれば、操作部４４を操作することにより、その基準電流値Ｉｓの大きさを任意に設定することができる。
【００３２】
また、このクランプ式電流計１では、制御部４８が、電流値Ｉｍが基準電流値Ｉｓ以下となる状態が操作部４４の操作によって設定された待機時間ｔｗに亘って継続したときに電源供給停止処理を実行する。したがって、このクランプ式電流計１によれば、操作部４４を操作することにより、待機時間ｔｗの時間長を任意に設定することができる。
【００３３】
また、このクランプ式電流計１によれば、制御部４８が、電源供給が停止されている状態において検出部４５によってクランプセンサ２の開状態が検出されたときに、予め決められた回路（Ａ／Ｄ変換部４１、表示部４２、操作部４４、およびタイマ４７）への電源供給を開始させることにより、クランプセンサ２を開状態にするだけで電源供給を開始させることができるため、電源供給を開始させるためのスイッチ操作を不要とすることができる結果、計測作業時の利便性を確実に向上させることができる。
【００３４】
なお、本発明は、上記の構成に限定されない。例えば、基準電流値Ｉｓを「０アンペア」に設定する例について上記したが、本発明はこれに限定されない。例えば、計測する電流値に応じて基準電流値Ｉｓを任意の値に設定することができる。また、待機時間ｔｗを「１５分」に設定する例について上記したが、本発明はこれに限定されず、待機時間ｔｗを任意の時間長に設定することもできる。また、検出部４５としてメカニカルスイッチを備える構成について説明したが、検出部４５として光学式のスイッチを備える構成を採用することもできる。
【図面の簡単な説明】
【００３５】
【図１】電線２００をクランプした状態のクランプ式電流計１の正面図である。
【図２】クランプ式電流計１のブロック図である。
【図３】第１センサ３ａおよび第２センサ３ｂを回動させた状態（クランプセンサ２を開状態としたとき）のクランプ式電流計１の正面図である。
【図４】電源供給制御処理６０のフローチャートである。
【符号の説明】
【００３６】
１  クランプ式電流計
２  クランプセンサ
２２  レバー
４１  Ａ／Ｄ変換部
４４  操作部
４５  検出部
４６  電源部
４７  タイマ
４８  制御部
２００  電線
Ｉ  電流
Ｉｍ  電流値
Ｉｓ  基準電流値
ｔｗ  待機時間
【図１】
2007309731.tif 000003
【図２】
2007309731.tif 000004
【図３】
2007309731.tif 000005
【図４】
2007309731.tif 000006